(57)【特許請求の範囲】
【請求項１】
ネットワーク装置、ネットワーク管理システム、及び、ネットワーク装置依存の管理情報に管理操作を行うためのネットワーク装置依存管理機能を登録しておきネットワーク管理システムからの検索要求を受け付けるネットワーク装置依存管理機能登録サーバをネットワークで接続し、
ネットワーク装置は、ネットワークに接続されたネットワーク装置依存管理機能登録サーバを検出し、検出したネットワーク装置依存管理機能登録サーバにネットワーク装置依存管理機能を期限付きで登録し、一定時間間隔でネットワーク装置からネットワーク装置依存管理機能登録サーバへの登録期限を更新し、
ネットワーク管理システムは、ネットワークに接続されたネットワーク装置依存管理機能登録サーバを検出し、検出したネットワーク装置依存管理機能登録サーバを検索することにより登録されたネットワーク装置依存管理機能の一覧を取得し、ネットワーク装置の追加又は削除によりネットワーク装置依存管理機能登録サーバへの登録が追加又は削除された場合にネットワーク装置依存管理機能登録サーバからネットワーク管理システムに通知されるイベントを受信し、ネットワーク装置依存管理機能登録サーバを経由してネットワーク装置から取得してネットワーク管理システムに動的に組み込むネットワーク装置依存管理機能によりネットワーク装置依存管理情報に対して管理操作を行うことを特徴とする通信ネットワーク管理方法。
【発明の詳細な説明】
【０００１】
【発明の属する技術分野】
本発明は、通信ネットワークの管理方法に関するものであり、特にネットワーク管理システムの処理負荷をネットワーク装置側にも分散させ、ネットワーク装置に依存する管理機能を動的に組み込み、機能の追加についての柔軟性を向上させる通信ネットワーク管理方法に関するものである。
【０００２】
【従来の技術】
従来の通信ネットワーク管理方法では、ネットワーク管理システム起動時におけるネットワーク装置の検出並びにネットワーク装置の追加及び削除の検出のため、ネットワーク管理プロトコルの属性値取得要求を繰り返し実行していた。また、ベンダーが開発する複数のネットワーク装置を管理するため、ネットワーク装置に依存する管理機能をネットワーク管理システム内に実装していた。
【０００３】
図２は従来のネットワーク管理システム及びその管理対象であるネットワーク装置を含む通信ネットワークの構成例を示す図である。図において、４０はネットワーク管理システムであり、ネットワーク装置非依存管理機能４１及びネットワーク装置Ｘ依存管理機能４２、ネットワーク装置Ｙ依存管理機能４３を含む。５０は被管理対象であるネットワーク装置Ｘであり、管理エージェント機能５１、ネットワーク装置非依存管理情報５２及びネットワーク装置Ｘ依存管理情報５３を含む。６０は同様に被管理対象であるネットワーク装置Ｙであり、管理エージェント機能６１、ネットワーク装置非依存管理情報６２及びネットワーク装置Ｙ依存管理情報６３を含む。ここで、ネットワーク装置非依存管理情報とは、標準化等により規定された一般的な管理情報であり、ネットワーク装置依存管理情報とは、ネットワーク装置の開発ベンダーにより独自に規定されたネットワーク装置に依存する管理情報である。また、ネットワーク装置依存管理機能とは、ベンダーが開発するネットワーク装置の種類に応じて必要となるネットワーク装置依存管理機能である。ネットワーク装置非依存管理情報及びネットワーク装置依存管理情報の双方を用いることにより、当該装置への管理操作が可能になる。前述の構成のネットワーク管理システム４０及びネットワーク装置５０、６０における処理の流れは以下のとおりである。
【０００４】
先ずネットワーク装置非依存管理情報への管理操作における処理の流れについて説明する。ネットワーク装置非依存の管理情報に対して管理操作を行うために、ネットワーク管理システム４０は下記の手順を実行する。
▲１▼ネットワーク管理システム４０に実装されているネットワーク装置非依存管理機能４１からネットワーク装置の一つＸ５０内の管理エージェント機能５１に対して管理操作を行う。
▲２▼管理操作を受けた管理エージェント機能５１は、結果をネットワーク装置非依存管理機能４１に返す。
▲３▼ネットワーク管理システム４０に実装されているネットワーク装置非依存管理機能４１からネットワーク装置の他の一つＹ６０内の管理エージェント機能６１に対して管理操作を行う。
▲４▼管理操作を受けた管理エージェント機能６１は、結果をネットワーク装置非依存管理機能４１に返す。
【０００５】
次にネットワーク装置依存管理情報への管理操作における処理の流れについて説明する。ネットワーク装置依存の管理情報に対して管理操作を行うために、ネットワーク管理システム４０は下記の手順を実行する。
▲５▼ネットワーク管理システム４０に実装されているネットワーク装置Ｘ依存管理機能４２からネットワーク装置の一つＸ５０内の管理エージェント機能５１に対して管理操作を行う。
▲６▼管理操作を受けた管理エージェント機能５１は、結果をネットワーク装置Ｘ依存管理機能４２に返す。
▲７▼ネットワーク管理システム４０に実装されているネットワーク装置Ｙ依存管理機能４３からネットワーク装置の他の一つＹ６０内の管理エージェント機能６１に対して管理操作を行う。
▲８▼管理操作を受けた管理エージェント機能６１は、結果をネットワーク装置Ｙ依存管理機能４３に返す。
【０００６】
このような従来のネットワーク管理方法では、ネットワーク管理システムの起動時のネットワーク装置の検出並びに追加及び削除の検出を行うために、ネットワーク管理システムが能動的に属性値取得要求を繰り返す必要があるため、ネットワーク装置の増加に伴ってネットワーク管理システムの負荷が増大する。また、ネットワーク装置依存の管理機能を実装しているネットワーク管理システムは、新規ネットワーク装置を管理対象とする場合、ネットワーク管理システムの管理機能を改造するか又は新しく管理機能をインストールする必要があるため、頻繁に更改されるネットワーク装置を管理するネットワーク管理システムの構築に労力を要する。
【０００７】
【発明が解決しようとする課題】
本発明の目的は、ネットワーク管理システムを起動する際の全ネットワーク装置に対する検出並びにネットワーク装置の追加及び削除の検出を効率的に行い、ネットワーク装置依存の管理機能を容易にネットワーク管理システムに取込むことができるネットワーク管理方法を提供することにある。
【００１２】
【課題を解決するための手段】
本発明の通信ネットワーク管理方法においては、ネットワーク装置、ネットワーク管理システム、及び、ネットワーク装置依存の管理情報に管理操作を行うためのネットワーク装置依存管理機能を登録しておきネットワーク管理システムからの検索要求を受け付けるネットワーク装置依存管理機能登録サーバをネットワークで接続し、ネットワーク装置は、ネットワークに接続されたネットワーク装置依存管理機能登録サーバを検出し、検出したネットワーク装置依存管理機能登録サーバにネットワーク装置依存管理機能を期限付きで登録し、一定時間間隔でネットワーク装置からネットワーク装置依存管理機能登録サーバへの登録期限を更新し、ネットワーク管理システムは、ネットワークに接続されたネットワーク装置依存管理機能登録サーバを検出し、検出したネットワーク装置依存管理機能登録サーバを検索することにより登録されたネットワーク装置依存管理機能の一覧を取得し、ネットワーク装置の追加又は削除によりネットワーク装置依存管理機能登録サーバへの登録が追加又は削除された場合にネットワーク装置依存管理機能登録サーバからネットワーク管理システムに通知されるイベントを受信し、ネットワーク装置依存管理機能登録サーバを経由してネットワーク装置から取得してネットワーク管理システムに動的に組み込むネットワーク装置依存管理機能によりネットワーク装置依存管理情報に対して管理操作を行うようにすることができる。
【００１３】
このような本発明の通信ネットワーク管理方法によれば、ネットワーク装置は、ネットワークに接続されたネットワーク装置依存管理機能登録サーバを検出し、検出したネットワーク装置依存管理機能登録サーバにネットワーク装置依存管理機能を期限付きで登録し、一定時間間隔でネットワーク装置からネットワーク装置依存管理機能登録サーバへの登録期限を更新し、ネットワーク管理システムもネットワークに接続されたネットワーク装置依存管理機能登録サーバを検出し、検出したネットワーク装置依存管理機能登録サーバを検索することにより登録された全てのネットワーク装置依存管理機能を取得し、ネットワーク装置の追加又は削除によりネットワーク装置依存管理機能登録サーバへの登録が追加又は削除された場合に、ネットワーク装置依存管理機能登録サーバからネットワーク管理システムに通知されるイベントを受信し、ネットワーク装置依存の管理情報に対しては、ネットワーク装置依存管理機能登録サーバを経由してネットワーク装置から取得してネットワーク管理システムに動的に組み込むネットワーク装置依存管理機能により管理操作を行い、ネットワーク装置非依存の管理情報に対してはネットワーク管理システム上に最初から保持しているネットワーク装置非依存管理機能により管理操作を行い、戻り値として結果を取得するので、ネットワーク起動時の全ネットワーク装置の検出並びにネットワーク装置の追加及び削除の検出を効率的に行うことができる。また、ネットワーク装置をネットワークに接続するだけでネットワーク管理システムが必要なネットワーク装置依存の管理機能を取得し、複数のベンダーが開発したネットワーク装置を管理するネットワーク管理システムを容易に構築することができる。
【００１４】
即ち、従来はネットワーク管理システム起動時の全ネットワーク装置の検出並びにネットワーク装置の追加及び削除の検出をネットワーク管理システムから能動的に繰り返し行っていたのに対し、本発明の通信ネットワーク管理方法によれば、ネットワーク管理システムで、ネットワーク装置依存開発機能登録サーバへの１回の要求及びイベント通知により、ネットワーク管理システム起動時の全ネットワーク装置の検出並びにネットワーク装置の追加及び削除の検出が可能になる。
【００１５】
また、従来はネットワーク装置依存の管理機能をネットワーク管理システムに実装しておき新規ネットワーク装置を管理対象とする場合にはネットワーク管理システムの管理機能を改造するか又は新しく管理機能をインストールしていたが、本発明の通信ネットワーク管理方法によれば、ネットワーク管理システムがネットワーク装置依存の管理機能を取得し、取得した管理機能によりネットワーク装置依存の管理情報に対して管理操作を行うことができる。
【００１６】
【発明の実施の形態】
次に、本発明の実施例を説明する。図１は、本発明の通信ネットワーク管理方法を適用するネットワーク管理システム及びその管理対象であるネットワーク装置を含む通信ネットワークの構成例を示す図である。図において、１０はネットワーク管理システム、２０はネットワーク装置、３０はネットワーク装置依存管理機能登録サーバである。
【００１７】
ネットワーク管理システム１０は、ネットワーク管理システム共通部１１、ネットワーク装置非依存管理機能部１２及びネットワーク装置依存管理機能部１３を含む。ネットワーク管理システム共通部１１は、イベント管理機能１１１、ネットワーク装置依存管理機能登録サーバ検出機能１１２、ネットワーク装置依存管理機能取得機能１１３、クラス情報取得機能１１４及びネットワーク装置依存管理機能起動機能１１５を含む。ネットワーク装置非依存管理機能部１２は、ネットワーク装置非依存管理機能１２１を含む。ネットワーク装置依存管理機能部１３は、ネットワーク装置依存管理機能１３１を含む。
【００１８】
ネットワーク装置２０は、管理エージェント部２１、ネットワーク装置共通部２２及びネットワーク装置依存管理機能部２３を含む。管理エージェント部２１は、管理エージェント機能２１１、ネットワーク装置非依存管理情報２１２及びネットワーク装置依存管理情報２１３を含む。ネットワーク装置共通部２２は、ネットワーク装置依存管理機能登録サーバ検出機能２２１、ネットワーク装置依存管理機能登録サーバ登録機能２２２、ネットワーク装置依存管理機能登録期限更新機能２２３及びクラス情報提供機能２２４を含む。ネットワーク装置依存管理機能部２３はネットワーク装置依存管理機能２３１を含む。
【００１９】
次に、ネットワーク依存管理情報に対する管理操作における処理の流れについて説明する。ネットワーク依存管理情報に対して管理操作を行うため、ネットワーク管理システムは下記の手順を実行する。
▲１▼ネットワーク装置依存管理機能取得機能１１３は、検出したネットワーク装置依存管理機能登録サーバ３０を検索することにより、ネットワーク装置依存管理機能を取得する。
▲２▼ネットワーク装置依存管理機能起動機能１１５により、ネットワーク装置依存管理機能１３１へメソッドの呼び出しを行う。
▲３▼ネットワーク装置依存管理機能１３１へのメソッドの呼び出しを契機として、クラス情報取得機能１１４により、ネットワーク装置依存管理機能１３１のメソッドの実行に必要なクラス情報をネットワーク装置２０のクラス情報提供機能２２４から取得する。
▲４▼ネットワーク装置依存管理機能１３１により、ネットワーク装置２０の管理エージェント機能２１１に対して管理操作を行う。
▲５▼管理操作を受けた管理エージェント機能２１１は、ネットワーク装置依存管理機能１３１に結果を返す。
【００２０】
このようにして複数のネットワーク装置に対応するネットワーク管理システムを動的に構築した後、ネットワーク装置依存管理情報に対して管理操作を行う場合は、上記▲２▼、▲４▼及び▲５▼の手順のみを実行すればよい。
【００２１】
【発明の効果】
以上説明したとおり、ネットワーク起動時における全ネットワーク装置の検出並びにネットワーク装置の追加及び削除の検出を受動的に行うことができるので、従来の方法と比較して負荷分散の観点からよりスケーラビリティの高いネットワーク管理を実現することができる。更に、ネットワーク装置をネットワークに接続するだけで必要なネットワーク依存の管理機能を取得してネットワーク装置に対して管理操作を行うことができるので、ネットワーク装置開発側にとっては、稼動中のネットワークを管理するネットワーク管理システムを導入済みの利用者に対し、ネットワーク管理システムの改造又は機能追加を行うことなく新規ネットワーク装置の導入を進めることができる。
【図面の簡単な説明】
【図１】本発明の通信ネットワーク管理方法を適用するネットワーク管理システム及びその管理対象であるネットワーク装置を含む通信ネットワークの構成例を示す図である。
【図２】従来のネットワーク管理システム及びその管理対象であるネットワーク装置を含む通信ネットワークの構成例を示す図である。
【符号の説明】
１０  ネットワーク管理システム
１１  ネットワーク管理システム共通部
１２  ネットワーク装置非依存管理機能部
１３  ネットワーク装置依存管理機能部
２０  ネットワーク装置
２１  管理エージェント部
２２  ネットワーク装置共通部
２３  ネットワーク装置依存管理機能部
３０  ネットワーク装置依存管理機能登録サーバ
４０  ネットワーク管理システム
４１  ネットワーク装置非依存管理機能
４２  ネットワーク装置Ｘ依存管理機能
４３  ネットワーク装置Ｙ依存管理機能
５０  ネットワーク装置Ｘ
５１  管理エージェント機能
５２  ネットワーク装置非依存管理情報
５３  ネットワーク装置Ｘ依存管理情報
６０  ネットワーク装置Ｙ
６１  管理エージェント機能
６２  ネットワーク装置非依存管理情報
６３  ネットワーク装置Ｙ依存管理情報
１１１  イベント管理機能
１１２  ネットワーク装置依存管理機能登録サーバ検出機能
１１３  ネットワーク装置依存管理機能取得機能
１１４  クラス情報取得機能
１１５  ネットワーク装置依存管理機能起動機能
１２１  ネットワーク装置非依存管理機能
１３１  ネットワーク装置依存管理機能
２１１  管理エージェント機能
２１２  ネットワーク装置非依存管理情報
２１３  ネットワーク装置依存管理情報
２２１  ネットワーク装置依存管理機能登録サーバ検出機能
２２２  ネットワーク装置依存管理機能登録サーバ登録機能
２２３  ネットワーク装置依存管理機能登録期限更新機能
２２４  クラス情報提供機能
２３１  ネットワーク装置依存管理機能
【図１】
0003629394.tif 000002
【図２】
0003629394.tif 000003